(57)【要約】【課題】施工や廃棄の際に有害物質を発生しない快適な遊歩道の舗装を実現する。【解決手段】路盤を掘削して掘削面を転圧し、掘削部分に植物繊維性チップと無機バインダとを混合攪拌した舗装材１を投入充填して表面をならし、必要に応じて表面に非付着性シート２をかけてその上から再度表面を転圧し、その後に非付着性シート２を除去することを特徴とする。【選択図】        図１
2004316268.tif 000002
【特許請求の範囲】
【請求項１】
植物繊維性チップと無機バインダとを混合攪拌したものを乾燥、硬化させてなる遊歩道用の舗装材。
【請求項２】
植物繊維性チップと無機バインダとを混合攪拌したものを成形型内に投入して常温圧縮あるいは加熱圧縮して硬化成形させてなる遊歩道用の舗装材。
【請求項３】
路盤を所定の深さに掘削してこの掘削面を転圧し、掘削部分に、植物繊維性チップと無機バインダとを混合攪拌したものを投入充填して表面をならし、表面を再度転圧することを特徴とする遊歩道の舗装方法。
【請求項４】
路盤を所定の深さに掘削してこの掘削面を転圧し、掘削部分に、植物繊維性チップと無機バインダとを混合攪拌したものを投入充填して表面をならし、表面に前記無機バインダに接着しない剥離用シートをかけてその上から再度表面を転圧し、その後に前記剥離用シートを除去することを特徴とする遊歩道の舗装方法。
【請求項５】
路盤を所定の深さに掘削してこの掘削面を転圧し、掘削部分に、植物繊維性チップと無機バインダとを混合攪拌し、成形型内に投入して常温圧縮あるいは加熱圧縮して硬化成形したものを敷設することを特徴とする遊歩道の舗装方法。
【請求項６】
路盤を所定の深さに掘削してこの掘削面を転圧し、掘削部分に植物繊維性チップを投入して転圧し、さらにその上に植物繊維性チップと無機バインダとを混合攪拌したものを投入充填して表面をならし、再度表面を転圧することを特徴とする遊歩道の舗装方法。
【請求項７】
路盤を所定の深さに掘削してこの掘削面を転圧し、掘削部分に植物繊維性チップを投入して転圧し、さらにその上に植物繊維性チップと無機バインダとを混合攪拌したものを投入充填して表面をならし、表面に前記無機バインダに接着しない剥離用シートをかけてその上から再度表面を転圧し、その後に前記剥離用シートを除去することを特徴とする遊歩道の舗装方法。
【請求項８】
路盤を所定の深さに掘削してこの掘削面を転圧し、掘削部分に植物繊維性チップを投入し転圧して転圧し、さらにその上に、植物繊維性チップと無機バインダとを混合攪拌し、成形型内に投入して常温圧縮あるいは加熱圧縮して硬化成形したものを敷設することを特徴とする遊歩道の舗装方法。
【発明の詳細な説明】
【０００１】
【発明の属する技術分野】
本発明は、遊歩道、公園、広場等（以下これらをまとめて「遊歩道」という）に最適な舗装材、ならびにこれを用いた遊歩道の舗装方法に関する。
【０００２】
【従来の技術】
遊歩道が各地に建設されているが、一般道路や車道と違って遊歩道については踏みしめたときの感覚（クッション性）や視覚等が自然の土や落ち葉の降り積もった林道等に近いものが好まれることから、木片チップ等の天然材をバインダで固めた舗装材等が試みられているが、これまでの舗装材において使用されているバインダはすべて有機系のものであり、施行段階における有機溶剤の飛散や、将来舗装材の入れ替え等で廃棄処理する場合に有害成分を発生する等の問題点があった。
【０００３】
特許文献１には、骨材とアスファルトと、植物繊維と、硼砂および／または硼酸とを含有する舗装材が記載されている。この場合の植物繊維はだれ特性と動的安定性を向上させるのが目的であり、硼砂および／または硼酸を含有させることによって温度の上昇と共に脱水反応を生じてガラス状に変化し、だれ特性と動的安定性が一層向上するとしているが、本発明の遊歩道路盤とは目的を異にしている。
【０００４】
【特許文献１】
特開平６−２９４１０３号公報
【０００５】
【発明が解決しようとする課題】
本発明は、施工や廃棄の際に有害物質を発生せず、クッション性に優れた遊歩道用の舗装材、ならびにこれを用いた遊歩道路盤の舗装方法を実現することを目的とする。
【０００６】
【課題を解決するための手段】
本発明の遊歩道用の舗装材は、植物繊維性チップと無機バインダとを混合攪拌したものを乾燥、硬化させてなるものであり、あるいは、
植物繊維性チップと無機バインダとを混合攪拌したものを成形型内に投入して常温圧縮あるいは加熱圧縮して硬化成形させてなるものである。
【０００７】
また本発明の遊歩道の舗装方法は、路盤を所定の深さに掘削してこの掘削面を転圧し、掘削部分に、植物繊維性チップと無機バインダとを混合攪拌したものを投入充填して表面をならし、再度表面を転圧することを特徴とするものであるか、
路盤を所定の深さに掘削してこの掘削面を転圧し、掘削部分に、植物繊維性チップと無機バインダとを混合攪拌したものを投入充填して表面をならし、表面に前記無機バインダに接着しない剥離用シートをかけてその上から再度表面を転圧し、その後に前記剥離用シートを除去することを特徴とするものであるか、
路盤を所定の深さに掘削してこの掘削面を転圧し、掘削部分に、植物繊維性チップと無機バインダとを混合攪拌し、成形型内に投入して常温圧縮あるいは加熱圧縮して硬化成形したものを敷設することを特徴とするものであるか、あるいは、
路盤を所定の深さに掘削してこの掘削面を転圧し、掘削部分に植物繊維性チップを投入して転圧し、さらにその上に植物繊維性チップと無機バインダとを混合攪拌したものを投入充填して表面をならし、再度表面を転圧することを特徴とするものであるか、
路盤を所定の深さに掘削してこの掘削面を転圧し、掘削部分に植物繊維性チップを投入して転圧し、さらにその上に植物繊維性チップと無機バインダとを混合攪拌したものを投入充填して表面をならし、表面に前記無機バインダに接着しない剥離用シートをかけてその上から再度表面を転圧し、その後に前記剥離用シートを除去することを特徴とするものであるか、
路盤を所定の深さに掘削してこの掘削面を転圧し、掘削部分に植物繊維性チップを投入して転圧し、さらにその上に、植物繊維性チップと無機バインダとを混合攪拌し、成形型内に投入して常温圧縮あるいは加熱圧縮して硬化成形したものを敷設することを特徴とするものである。
【０００８】
【発明の実施の形態】
本発明によれば、植物繊維性チップを固めるのに有機バインダを使用せず、無機バインダを使用するようにしたので、成形作業や廃棄（たとえば焼却処理）の際に公害を発生することがない。
【０００９】
【実施例】
実施例１
本発明の遊歩道用の舗装材の第１の実施例を説明する。この舗装材は、植物繊維性チップと無機バインダとを混合攪拌し、乾燥、硬化させたものである。植物繊維性チップとは必要に応じて所定のサイズ以下に裁断した木片チップ、紙屑、かんな屑、木毛、おが屑、わら、杉皮、竹皮、干し草、枯葉等である。また無機バインダとは、珪酸ソーダ２０〜４０重量％、珪酸カリウム１５〜３０重量％，これに若干の接着強化剤、硬化促進剤等を加え、水で希釈したものである。
【００１０】
植物繊維性チップと無機バインダをミキサに入れて植物繊維性チップの表面に無機バインダをまんべんなくまぶしたものを自然乾燥させればよいが、十分接着して硬化するには５〜７日程度を必要とする。植物繊維性チップは事前に十分乾燥させておいた方がよい。
実施例２
本発明の遊歩道用の舗装材の第２の実施例を説明する。この舗装材は、植物繊維性チップと無機バインダとを混合攪拌し、硬化させることは第１の実施例と同じであるが、自然乾燥させる代りに植物繊維性チップと無機バインダとを混合攪拌したものを成形型内に投入し、常温圧縮あるいは加熱圧縮して硬化成形させる点が異なっている。成形型は無機バインダに接着しないようにフッ素樹脂などの離型剤を塗布する。この方法だと直接道路の位置で硬化させないので、硬化期間を十分設けることができる。また、現地での乾燥と異なり、加熱手段を使用することができるので硬化期間を短縮でき、また硬化後の強度を向上させることができる点は第１の実施例のものよりもすぐれているが、施工に際しては掘削部分とのなじみをよく仕上げる必要がある。
【００１１】
実施例３
第３の実施例として遊歩道の舗装方法を図面により説明する。図１は遊歩道路盤部分を示す断面図である。まず（ａ）に示すように遊歩道となる部分の路面を所定の深さ、例えば舗装材の厚みとして７０ｍｍの深さに掘削する。掘った部分の路盤を転圧ローラ等で転圧し、（ｂ）に示すようにその掘削した部分に実施例１で説明した舗装材１、すなわち植物繊維性チップと無機バインダとを混合攪拌したものを投入充填する。つづいて（ｃ）に示すようにその表面を再度転圧する。転圧ローラに舗装材が付着するおそれのあるときは表面に非付着性シート２をかけ、その上から表面を転圧する。非付着性シート２は、油紙、シリコン紙、油やシリコンをしみ込ませた布等、樹脂フィルム等、安価で無機バインダに接着しないものである。転圧時に非付着性シート２を使用しない場合においても、転圧後、シートをかぶせて養生することが望ましい。乾燥期間中にシートが付着しないように、かぶせるシートはやはり前記したような無機バインダに接着しないものが適当である。養生後、（ｄ）に示すように前記非付着性シート２を除去すれば完了である。
【００１２】
実施例４
第４の実施例として遊歩道の舗装方法を説明する。遊歩道となる部分の路面を所定の深さ、例えば鋪装材の厚みとして７０ｍｍの深さに掘削し、路盤を転圧するところまでは第３の実施例と同じである。この実施例では舗装材として実施例２で説明したもの、すなわち植物繊維性チップと無機バインダとを混合攪拌し、成形型内に投入して常温圧縮あるいは加熱圧縮して硬化成形したものを使用する。舗装材がすでに成形、硬化しているので、現場工事としてはこれを敷石と同じように敷設するだけでよい。
【００１３】
実施例５
第５の実施例として遊歩道の舗装方法を図２により説明する。この実施例では路盤をこれまでよりも深く、例えば  １２０ｍｍ程度掘削し、掘削面を転圧ローラ等で転圧し、掘削部分に植物繊維性チップ３を５０ｍｍ程度の厚さに投入して転圧し、さらにその上の深さ７０ｍｍの部分に実施例１に示した舗装材１、すなわち植物繊維性チップと無機バインダとを混合攪拌したものを投入充填して表面をならし、再度表面を転圧する。転圧ローラに舗装材が付着するおそれのあるときは表面に前記したものと同様の非付着性シートをかけてその上から転圧し、その後に前記剥離用シートを除去する。このように本来の舗装材の下に植物繊維性チップ３のみの層を設けることにより、歩いたときのクッション性が一段と向上する。
【００１４】
実施例６
第６の実施例として遊歩道の舗装方法を説明する。この実施では、路盤を第５の実施例と同様に例えば  １２０ｍｍ程度掘削し、掘削面を転圧ローラ等で転圧し、掘削部分に植物繊維性チップを５０ｍｍ程度の厚さに投入して転圧し、さらにその上に実施例２で説明した鋪装材、すなわち植物繊維性チップと無機バインダとを混合攪拌し、成形型内に投入して常温圧縮あるいは加熱圧縮して硬化成形したものを敷設する。
【００１５】
【発明の効果】
本発明によれば、施工や廃棄の際に有害物質を発生せず、クッション性に優れた遊歩道用の舗装材ならびにこれを用いた遊歩道路盤の舗装方法が実現するという、すぐれた効果を奏する。
植物繊維性チップそれ自体一種の産業廃棄物であり、本発明によってその有効利用が図られるばかりでなく、遊歩道や公園が整備され、生活環境が向上するという副次効果もある。
【図面の簡単な説明】
【図１】本発明の実施例の舗装方法を説明する遊歩道路盤部分の断面図である。
【図２】本発明の他の実施例の舗装方法を説明する遊歩道路盤部分の断面図である。
【符号の説明】
１    舗装材
２    非付着性シート
３    植物繊維性チップ
【図１】
2004316268.tif 000003
【図２】
2004316268.tif 000004